(57)【要約】【課題】  情報記録層を複数有するディスクの誤判別を防止することができるディスク判別方法を提供すること。【解決手段】  本発明に係るディスク判別方法は、透明の保護層に覆われた情報記録層を有するディスクＤに対し、光学ピックアップユニット１６によりレーザー光の焦点をフォーカス方向に移動させ、保護層の表面による反射光及び情報記録層による反射光を検出する反射光検出ステップと、保護層の表面による反射光の検出時と情報記録層による反射光の検出時との時間差を求める第一の時間差計測ステップと、情報記録層による反射光が２回検出された場合に、各反射光の検出時の時間差を求める第二の時間差計測ステップと、第一の時間差計測ステップで得られた時間差と第二の時間差計測ステップで得られた時間差との比をとり、この時間差比が所定の範囲内にあるか否かによってディスクＤの種類を判別するディスク判別ステップとを含む。【選択図】  図１
2006277846.tif 000002
【特許請求の範囲】
【請求項１】
透明の保護層に覆われた情報記録層を有するディスクに対し、光学ピックアップ手段によりレーザー光の焦点をフォーカス方向に移動させ、前記保護層の表面による反射光及び前記情報記録層による反射光を検出する反射光検出ステップと、
前記保護層の表面による反射光の検出時と前記情報記録層による反射光の検出時との時間差を求める第一の時間差計測ステップと、
前記情報記録層による反射光が２回検出された場合に、各反射光の検出時の時間差を求める第二の時間差計測ステップと、
前記第一の時間差計測ステップで得られた時間差と前記第二の時間差計測ステップで得られた時間差との比をとり、この時間差比が所定の範囲内にあるか否かによって前記ディスクの種類を判別するディスク判別ステップとを含むことを特徴とするディスク判別方法。
【請求項２】
前記ディスク判別ステップにおいて、前記第一の時間差計測ステップで得られた時間差を前記第二の時間差計測ステップで得られた時間差で除した比を小数点以下の切捨てにより整数でとり、この時間差比が２よりも大きいとき又は２以上のときには前記ディスクをデュアルレイヤーのＤＶＤと判別し、この時間差比が２以下のとき又は２未満のときには前記ディスクをハイブリッドＳＡＣＤと判別することを特徴とする請求項１に記載のディスク判別方法。
【請求項３】
透明の保護層に覆われた情報記録層を有するディスクに対し、レーザー光をその焦点をフォーカス方向に移動させつつ照射し、前記ディスクからの反射光を受光する光学ピックアップ手段と、
前記光学ピックアップ手段の受光結果に基づいて、前記保護層の表面による反射光及び前記情報記録層による反射光を検出する反射光検出手段と、
前記保護層の表面による反射光の検出時と前記情報記録層による反射光の検出時との時間差を求める第一の時間差計測手段と、
前記情報記録層による反射光が２回検出された場合に、各反射光の検出時の時間差を求める第二の時間差計測手段と、
前記第一の時間差計測手段により得られた時間差と前記第二の時間差計測手段により得られた時間差との比をとり、この時間差比が所定の範囲内にあるか否かによって前記ディスクの種類を判別するディスク判別手段とを有することを特徴とするディスク判別装置。
【請求項４】
前記ディスク判別手段が、前記第一の時間差計測手段により得られた時間差を前記第二の時間差計測手段により得られた時間差で除した比を小数点以下の切捨てにより整数でとり、この時間差比が２よりも大きいとき又は２以上のときには前記ディスクをデュアルレイヤーのＤＶＤと判別し、この時間差比が２以下のとき又は２未満のときには前記ディスクをハイブリッドＳＡＣＤと判別することを特徴とする請求項３に記載のディスク判別装置。
【発明の詳細な説明】
【技術分野】
【０００１】
本発明は、情報記録層を複数有するディスクを判別するために用いられ、特にデュアルレイヤーのＤＶＤ（片面２層Digital Versatile Disk）とハイブリッドＳＡＣＤ（Super Audio CD）との判別に好適なディスク判別方法及びディスク判別装置に関する。
【背景技術】
【０００２】
ＣＤ（Compact Disk）やＤＶＤ（Digital Versatile Disk）等の複数の種類のディスクを装填可能なディスク再生装置（コンパチブルプレーヤー）においては、装填されたディスクを適切に再生するために、そのディスクの種類を判別する必要がある。
【０００３】
このようなディスク再生装置は、図８に示すように、ディスクＤがセットされるターンテーブル１と、ターンテーブル１を回転させるスピンドルモーター２と、ディスクＤに記録された情報を読み取る光学ピックアップユニット３と、光学ピックアップユニット３等の各種制御を行う制御回路４と、後述の閾値ｔＴＨを記憶するＲＯＭ５とを備える。また、光学ピックアップユニット３は、レーザーダイオード６と、コリメータレンズ７と、ビームスプリッタ８と、対物レンズ９と、シリンドリカルレンズ１０と、フォトダイオード１１と、アクチュエータ１２とを有する。
【０００４】
レーザーダイオード６から出射されたレーザー光は、コリメータレンズ７により平行光束に整形され、ビームスプリッタ８により反射されて対物レンズ９に入射し、対物レンズ９によりディスクＤ上に集光される。ディスクＤからの反射光は、対物レンズ９及びビームスプリッタ８を透過してシリンドリカルレンズ１０に入射し、シリンドリカルレンズ１０によりフォトダイオード１１上に集束する。制御回路４は、フォトダイオード１１の受光結果に基づいて、ディスクＤに対するレーザー光の焦点位置を調整するため対物レンズ９をアクチュエータ１２によりフォーカス方向（上下方向）に駆動し、ディスクＤを再生する（特許文献１参照）。
【０００５】
このディスク再生装置におけるディスクの種類の判別は、ディスクが装填された際に行われる。すなわち、ディスクＤがターンテーブル１にセットされると、制御回路４はアクチュエータ１２により対物レンズ９を所定の速度で上昇させ、レーザー光の焦点をディスクＤに近づけていく。
【０００６】
ここで、ＣＤ、ＤＶＤのいずれも透明な保護層（樹脂基板）に覆われた情報記録層を有し、ＣＤではディスク裏側の保護層表面から約１．２ｍｍの位置に、ＤＶＤでは約０．６ｍｍの位置にその情報記録層があるので（図５参照）、対物レンズ９がディスクＤに接近すると、フォトダイオード１１はまずディスクＤの保護層表面による弱い反射光を受光し、続いて情報記録層による強い反射光を受光し、これに基づいて制御回路４はそれらの反射光を検出する（情報記録層による反射光は、フォーカスエラー信号のＳ字波形として検出する。）。その弱い反射光が検出されてから強い反射光が検出されるまでの時間ｔがＣＤとＤＶＤとで異なるので（ＣＤについての時間をｔＣＤ、ＤＶＤについての時間をｔＤＶＤとすると、ｔＤＶＤ＜ｔＣＤとなる。）、それらの時間の中間値を閾値ｔＴＨとして予めＲＯＭ５に記憶させて制御回路４の参照に供することにより、制御回路４は装填されたディスクについての時間ｔがｔＴＨよりも大きいとき（あるいはｔＴＨ以上のとき）はＣＤ、ｔＴＨ以下のとき（あるいはｔＴＨ未満のとき）はＤＶＤとしてディスクの種類を判別していた。
【０００７】
さらに、ＤＶＤについては、保護層表面から約０．６ｍｍの位置に情報記録層が１層のみあるシングルレイヤーディスク（片面１層ディスク）と、情報記録層が２層あるデュアルレイヤーディスク（片面２層ディスク）とがあるため、制御回路４はこれらをフォーカスエラー信号のＳ字波形が２回表れるか否かによって判別していた。
【０００８】
しかしながら、この従来のディスク判別方法では、ハイブリッドＳＡＣＤが装填されると対応に支障を来すという問題があった。ハイブリッドＳＡＣＤは、ディスク裏側の保護層表面から約０．６ｍｍの位置にＳＡＣＤ用の情報記録層（ＳＡＣＤの高密度信号層：ＨＤ層）があり、約１．２ｍｍの位置にＣＤ用の情報記録層（既存のＣＤプレーヤーで読取可能な層：ＣＤ層）があるので、たとえこれを装填された装置がＣＤ同様にハイブリッドＳＡＣＤも再生しようとしても、保護層表面から約０．６ｍｍの位置に情報記録層（ＨＤ層）を検出した時点でＤＶＤと判別し、さらにフォーカスエラー信号のＳ字波形を２回（ＨＤ層及びＣＤ層）検出した時点でデュアルレイヤーのＤＶＤと判別し、結局はＤＶＤ用のレーザー光をＨＤ層にフォーカスオンしてしまいＣＤ層の再生に至らない。あるいは、ハイブリッドＳＡＣＤは仕様範囲外のディスクであるとしてエラー表示するにしても、上記のようにデュアルレイヤーのＤＶＤ（仕様範囲内のディスク）と判断し得る以上は通常はリトライ処理が行われるから、エラー表示をするまでに時間がかかってしまう。
【特許文献１】特開２００４−３０３３２９号公報
【発明の開示】
【発明が解決しようとする課題】
【０００９】
本発明は、上記の事情に鑑みて為されたもので、情報記録層を複数有するディスクの誤判別、特にデュアルレイヤーのＤＶＤとハイブリッドＳＡＣＤとの誤判別を防止することができるディスク判別方法及びディスク判別装置を提供することを課題としている。
【課題を解決するための手段】
【００１０】
上記課題を解決するため、請求項１に係る発明は、透明の保護層に覆われた情報記録層を有するディスクに対し、光学ピックアップ手段によりレーザー光の焦点をフォーカス方向に移動させ、前記保護層の表面による反射光及び前記情報記録層による反射光を検出する反射光検出ステップと、前記保護層の表面による反射光の検出時と前記情報記録層による反射光の検出時との時間差を求める第一の時間差計測ステップと、前記情報記録層による反射光が２回検出された場合に、各反射光の検出時の時間差を求める第二の時間差計測ステップと、前記第一の時間差計測ステップで得られた時間差と前記第二の時間差計測ステップで得られた時間差との比をとり、この時間差比が所定の範囲内にあるか否かによって前記ディスクの種類を判別するディスク判別ステップとを含むディスク判別方法を特徴とする。
【００１１】
請求項２に係る発明は、請求項１に記載のディスク判別方法において、前記ディスク判別ステップにおいて、前記第一の時間差計測ステップで得られた時間差を前記第二の時間差計測ステップで得られた時間差で除した比を小数点以下の切捨てにより整数でとり、この時間差比が２よりも大きいとき又は２以上のときには前記ディスクをデュアルレイヤーのＤＶＤと判別し、この時間差比が２以下のとき又は２未満のときには前記ディスクをハイブリッドＳＡＣＤと判別することを特徴とする。
【００１２】
請求項３に係る発明は、透明の保護層に覆われた情報記録層を有するディスクに対し、レーザー光をその焦点をフォーカス方向に移動させつつ照射し、前記ディスクからの反射光を受光する光学ピックアップ手段と、前記光学ピックアップ手段の受光結果に基づいて、前記保護層の表面による反射光及び前記情報記録層による反射光を検出する反射光検出手段と、前記保護層の表面による反射光の検出時と前記情報記録層による反射光の検出時との時間差を求める第一の時間差計測手段と、前記情報記録層による反射光が２回検出された場合に、各反射光の検出時の時間差を求める第二の時間差計測手段と、前記第一の時間差計測手段により得られた時間差と前記第二の時間差計測手段により得られた時間差との比をとり、この時間差比が所定の範囲内にあるか否かによって前記ディスクの種類を判別するディスク判別手段とを有するディスク判別装置を特徴とする。
【００１３】
請求項４に係る発明は、請求項３に記載のディスク判別装置において、前記ディスク判別手段が、前記第一の時間差計測手段により得られた時間差を前記第二の時間差計測手段により得られた時間差で除した比を小数点以下の切捨てにより整数でとり、この時間差比が２よりも大きいとき又は２以上のときには前記ディスクをデュアルレイヤーのＤＶＤと判別し、この時間差比が２以下のとき又は２未満のときには前記ディスクをハイブリッドＳＡＣＤと判別することを特徴とする。
【発明の効果】
【００１４】
本発明によれば、保護層の表面による反射光の検出時及び情報記録層による反射光の検出時の時間差と、情報記録層による反射光が２回検出された場合における各反射光の検出時の時間差との比をとり、この時間差比が所定の範囲内にあるか否かによってディスクの種類が判別されるので、複数の情報記録層を有するディスクの間で情報記録層の間隔が異なれば、それらのディスクを判別することができる。
【００１５】
また、ディスクの判別に時間差そのものではなく時間差比が用いられるので、たとえ光学ピックアップに焦点移動速度等の個体差があってもその影響は比をとる際に緩和され、高い判別精度を保つことができる。
【発明を実施するための最良の形態】
【００１６】
本発明を実施するための最良の形態を図面に基づいて説明する。
【００１７】
図１は、本発明に係るディスク判別方法が用いられるディスク再生装置１３を示す。ディスク再生装置１３は、ターンテーブル１４と、スピンドルモーター１５と、光学ピックアップユニット１６と、制御回路１７と、ＥＥＰＲＯＭ１８と、ディスプレイ１９とを備える。ターンテーブル１４にはディスクＤがセットされ、スピンドルモーター１５はターンテーブル１４を回転させる。
【００１８】
光学ピックアップユニット１６は、レーザーダイオード２０と、コリメータレンズ２１と、ビームスプリッタ２２と、対物レンズ２３と、シリンドリカルレンズ２４と、フォトダイオード２５と、アクチュエータ２６とを有する。レーザーダイオード２０から出射されたレーザー光は、コリメータレンズ２１により平行光束に整形され、ビームスプリッタ２２により反射されて対物レンズ２３に入射し、対物レンズ２３によりディスクＤ上に集光される。ディスクＤからの反射光は、対物レンズ２３及びビームスプリッタ２２を透過してシリンドリカルレンズ２４に入射し、シリンドリカルレンズ２４によりフォトダイオード２５上に集束する。
【００１９】
制御回路１７は、光学ピックアップユニット１６等の各種制御を行う。ディスクＤの再生時には、制御回路１７は、スピンドルモーター１５を駆動してターンテーブル１４を回転させるとともに、フォトダイオード２５の受光結果に基づいて対物レンズ２３をアクチュエータ２６によりフォーカス方向及びトラッキング方向（横方向）に駆動し、ディスクＤに対するレーザー光の焦点位置を調整しながらディスクＤに記録された情報を読み取る。この制御回路１７は、計時用のタイマー２７，２８，２９を有する。ＥＥＰＲＯＭ１８には閾値ｔＴＨが記憶され、ディスプレイ１９にはディスク再生装置１３の動作状態等の各種情報が表示される。
【００２０】
このディスク再生装置１３におけるディスクの種類の判別は、ディスクの装填時に図２乃至図４に示すように行われる。ディスクＤがターンテーブル１４にセットされると（ステップ１（図中「Ｓ．１」と記載。以下同様））、制御回路１７はアクチュエータ２６により対物レンズ２３を下降させて所定の初期位置とした後に（ステップ２）、タイマー２７をスタートさせるとともにアクチュエータ２６により対物レンズ２３を所定の速度で上昇させ、レーザー光の焦点をディスクＤに近づけていく（ステップ３、ステップ４）。
【００２１】
図５に示すように、ディスクＤはポリカーボネート基板等からなる透明な保護層Ｐと、これに覆われた情報記録層Ｒ（アルミ蒸着等により形成）とを有するので、対物レンズ２３がディスクＤに接近すると、フォトダイオード２５はまず保護層Ｐの表面による弱い反射光を受光する。フォトダイオード２５は、その受光面を４等分してなる受光領域ＳＡ，ＳＢ，ＳＣ，ＳＤ（領域ＳＡと領域ＳＤとが対角線上に位置し、領域ＳＢと領域ＳＣとが対角線上に位置する。）を有し、各領域が受光量に応じた電圧を制御回路１７に出力するので、制御回路１７は各領域の出力を増幅して加算した全加算信号（ＲＦＳＢ信号）（図６参照）のピークを検出することによって保護層Ｐの表面による反射光を検出し（ステップ５）、タイマー２８をスタートさせる（ステップ６）。タイマー２７の起動後、対物レンズ２３が上昇し終える所定時間のうちに全加算信号のピークを検出することができない場合には（ステップ７）、制御回路１７は対物レンズ２３の上昇を終了させてタイマー２７を止め（ステップ８、ステップ９）、ディスプレイ１９にエラー表示を行いディスク判別処理を終了する（ステップ１０）。
【００２２】
保護層Ｐの表面による反射光に続いてフォトダイオード２５が情報記録層Ｒによる強い反射光を受光すると、制御回路１７はフォーカスエラー信号（ＦＥ信号）に表れるＳ字波形のピークを検出することによって、その情報記録層Ｒによる反射光を検出する（ステップ１１）。フォーカスエラー信号は、領域ＳＡ，ＳＤの各出力を増幅して加算したものから領域ＳＢ，ＳＣの各出力を増幅して加算したものを引いて生成され、制御回路１７はこのフォーカスエラー信号の正のピーク（第一のピーク）を検出すると、タイマー２８をストップさせてその計測値を保存するとともに（ステップ１２）、タイマー２９を起動する（ステップ１３）。上記所定時間内に第一のピークを検出することができない場合には（ステップ１４）、制御回路１７は対物レンズ２３を停止させてタイマー２７及びタイマー２８を止め（ステップ１５〜ステップ１７）、ディスクＤをＣＤと判別して処理を終了する（ステップ１８）。
【００２３】
タイマー２９の起動後フォーカスエラー信号の負のピーク（第一のボトム）を検出すると（ステップ１９）、制御回路１７は情報記録層Ｒを一つ捕捉し終えた（第一のＳ字波形を検出した）として、つぎの情報記録層Ｒ（第二のＳ字波形）を捉えるべく再び正のピーク（第二のピーク）の検出作業に移行する（ステップ２０）。上記所定時間内に第一のボトムを検出することができない場合には（ステップ２１）、制御回路１７はタイマー２９を止めた後に対物レンズ２３を停止させてタイマー２７を止め（ステップ２２〜ステップ２４）、タイマー２８により計測した時間ｔ（保護層Ｐの表面による反射光の検出時から情報記録層Ｒによる反射光の検出時までの時間差）が予めＥＥＰＲＯＭ１８に設定された閾値ｔＴＨ以下であるかどうかを判断する（ステップ２５）。そして、計測時間ｔが閾値ｔＴＨよりも大きい場合にはディスクＤをＣＤと判別し（ステップ１８）、計測時間ｔが閾値ｔＴＨ以下である場合にはディスクＤをシングルレイヤーのＤＶＤと判別して処理を終了する（ステップ２６）。第二のピークの検出作業に移行した制御回路１７が上記所定時間内に第二のピークを検出することができない場合にも（ステップ２７）、制御回路１７は同様にステップ２２以降の処理によりディスクＤをＣＤ又はシングルレイヤーのＤＶＤのいずれかと判別する。
【００２４】
一方、フォーカスエラー信号の第二のピークを検出すると、制御回路１７はタイマー２９をストップさせてその計測値を保存し（ステップ２８）、この正のピークに対応する負のピーク（第二のボトム）の検出作業に移行する（ステップ２９）。
【００２５】
制御回路１７は第二のボトムを検出すると、情報記録層Ｒに対応する２つのＳ字波形を捕捉し終えたとして、それらのＳ字波形がノイズかどうかを確認するための評価を行う（ステップ３０）。詳細には、図４に示すように、制御回路１７は第一のピーク、第一のボトム、第二のピーク及び第二のボトムの大きさをそれぞれ比較し（ステップ３１）、最大値のピーク又はボトムを含むＳ字波形を情報記録層Ｒによるものとした上で、他方のＳ字波形がノイズかどうかを検討する。すなわち、まず、制御回路１７は第一のＳ字波形が絶対値最大のピーク値（正負のピーク値、つまり、ピーク及びボトムの両方の値を指すものとする。）を含むものであるかどうかを判断するために、第一のピーク、第一のボトムのいずれかが第二のピーク、第二のボトムと比較して最大であるかどうかを判断し（ステップ３２）、第一のピーク、第一のボトムのいずれかの絶対値が最大である場合には、第二のＳ字波形がノイズの可能性があるとして、そのピークとボトムとの大小関係を検討する（ステップ３３）。そして、第二のボトムが小さければ、これが図７（ａ）に示すように第一のボトムよりも十分小さい場合（ここでは第一のボトムの値を第二のボトムの値で除した値（以下、このような２つのＳ字波形の正又は負のピーク値同士の比を「ピーク比β」という。）が３以上である場合）には第二のＳ字波形をノイズと判断し（ステップ３４、ステップ３５）、そうでない場合にはノイズでないと判断する（ステップ３６）。これに対し、第二のピークが第二のボトム以下の大きさであれば、制御回路１７は第二のピークが図７（ｂ）に示すように第一のピークよりも十分小さい場合（第一のピークの値を第二のピークの値で除した比βが３以上である場合）には第二のＳ字波形をノイズと判断し（ステップ３７、ステップ３５）、そうでない場合にはノイズでないと判断する（ステップ３６）。
【００２６】
同様に、制御回路１７は第一のピーク、第一のボトムのいずれも最大でない場合には、第一のＳ字波形がノイズの可能性があるとして、そのピークとボトムとの大小関係を検討する（ステップ３８）。そして、第一のボトムが小さければ、これが図７（ｃ）に示すように第二のボトムよりも十分小さい場合（第二のボトムの値を第一のボトムの値で除した比βが３以上である場合）には第一のＳ字波形をノイズと判断し（ステップ３９、ステップ４０）、そうでない場合にはノイズでないと判断する（ステップ３６）。一方、第一のピークが第一のボトム以下の大きさであれば、制御回路１７は第一のピークが図７（ｄ）に示すように第二のピークよりも十分小さい場合（第二のピークの値を第一のピークの値で除した比βが３以上である場合）には第一のＳ字波形をノイズと判断し（ステップ４１、ステップ４０）、そうでない場合にはノイズでないと判断する（ステップ３６）。
【００２７】
このステップ３０を経て第二のＳ字波形をノイズと判断した場合には（ステップ４２）、制御回路１７は上記所定時間の経過を待った後に対物レンズ２３の上昇を終えてタイマー２７をストップさせ（ステップ４３、ステップ２３、ステップ２４）、タイマー２８の計測時間ｔが閾値ｔＴＨ以下であるかどうかを判断する（ステップ２５）。そして、その時間ｔが閾値ｔＴＨよりも大きい場合にはディスクＤをＣＤと判別し（ステップ１８）、時間ｔが閾値ｔＴＨ以下である場合にはディスクＤをシングルレイヤーのＤＶＤと判別して処理を終了する（ステップ２６）。
【００２８】
また、第一のＳ字波形をノイズと判断した場合には（ステップ４４）、制御回路１７は上記所定時間の経過を待った後に対物レンズ２３の上昇を終えてタイマー２７をストップさせ（ステップ４５〜ステップ４７）、タイマー２８の計測時間とタイマー２９の計測時間との加算時間ｔが閾値ｔＴＨ以下であるかどうかを判断する（ステップ４８）。そして、その時間ｔが閾値ｔＴＨよりも大きい場合にはディスクＤをＣＤと判別し（ステップ１８）、時間ｔが閾値ｔＴＨ以下である場合にはディスクＤをシングルレイヤーのＤＶＤと判別して処理を終了する（ステップ２６）。
【００２９】
制御回路１７が第一のＳ字波形、第二のＳ字波形ともにノイズでないと判断した場合には、ディスクＤは情報記録層Ｒを２つ有するのでＣＤである蓋然性は低いが、制御回路１７はステップ４９においてタイマー２８の計測時間ｔと閾値ｔＴＨとを比較し、ディスクＤがＣＤでないかどうかを判断する。このステップでディスクＤがＣＤでないことが確認されると、ディスクＤはデュアルレイヤーのＤＶＤかハイブリッドＳＡＣＤであると考えられるので、制御回路１７はこれを判別すべくステップ５０に移行する。
【００３０】
ステップ５０では、制御回路１７は、タイマー２８で計測した時間（保護層Ｐの表面による反射光の検出時から情報記録層Ｒによる反射光の検出時までの時間差）をタイマー２９で計測した時間（２つの情報記録層Ｒによる反射光の検出時の時間差）で除した比αを小数点以下の切捨てにより整数でとり、この時間差比αが０以上２以下であるか否かを判断する。デュアルレイヤーのＤＶＤとハイブリッドＳＡＣＤとでは２つの情報記録層Ｒの間隔は異なり、後者では情報記録層Ｒの一方（ＨＤ層）が保護層Ｐの表面から約０．６ｍｍの位置にあり、情報記録層Ｒの他方（ＣＤ層）が保護層Ｐの表面から約１．２ｍｍの位置にあるので、時間差比αは約１（タイマー２８の計測値とタイマー２９の計測値との比は概略１：１）となって２を越えることはないと考えられる。これに対し、前者では情報記録層Ｒの双方がいずれも保護層Ｐの表面から約０．６ｍｍの位置にあり、両情報記録層Ｒの間隔は５０μｍ程度と接近しているので、時間差比αは２よりもずっと大きな値になると考えられる。したがって、制御回路１７は、上記のように時間差比αが０以上２以下の範囲内にあるか否かを確認することによってハイブリッドＳＡＣＤを必要十分な範囲で判別することができ（ステップ５１）、時間差比αが２を越える範囲にあるときはディスクＤをデュアルレイヤーのＤＶＤと判別する（ステップ５２）。
【００３１】
以上の判別を終えると、制御回路１７は上記所定時間が経過するまで待った上で対物レンズ２３を停止させてタイマー２７を止め（ステップ５３〜ステップ５５）、処理を終了する。
【００３２】
なお、制御回路１７が第二のピーク検出後に第二のボトムを検出することができない場合には（ステップ５６）、先述した二つのＳ字波形の評価を行うことができないので、制御回路１７はステップ３０、ステップ４２及びステップ４４を省略してステップ４９以降の処理を行う。もちろん、このとき第二のＳ字波形は一律にノイズと扱い、情報記録層Ｒが１つであることを前提とするステップ２５以降のような処理に繋げてもよい。
【００３３】
本形態に係るディスク判別方法によれば、保護層Ｐの表面による反射光の検出時及び情報記録層Ｒによる反射光の検出時の時間差と、情報記録層Ｒによる反射光が２回検出された場合における各反射光の検出時の時間差との比αをとり、この時間差比αが所定の範囲内にあるか否かによってディスクＤの種類が判別されるので、複数の情報記録層を有するディスクの間で情報記録層の間隔が異なれば、それらのディスクを判別することができる。ここでは、特に、前者の時間差を後者の時間差で除した比を小数点以下の切捨てにより整数でとり、この時間差比が２よりも大きいときにはディスクＤをデュアルレイヤーのＤＶＤと判別し、この時間差比が２以下のときにはディスクＤをハイブリッドＳＡＣＤと判別することによって、ハイブリッドＳＡＣＤを必要十分な範囲で分別することが可能となっている。
【００３４】
また、ディスクＤの判別に時間差そのものではなく時間差比が用いられるので、たとえ光学ピックアップユニット１６に焦点移動速度等の個体差があってもその影響は比をとる際に緩和され、高い判別精度を保つことができる。
【００３５】
なお、本発明は上述した形態に限られるものではなく、例えば図３乃至図５に示した具体的判別処理等は適宜変更してもよく、ディスクの種類による判別の順序を変えたり、リトライ処理を加えたりしてもかまわない。また、時間差比αがα≦２ではなくα＜２を満たすときにハイブリッドＳＡＣＤと判別としても、あるいは、ハイブリッドＳＡＣＤとしての分別範囲を最小限に抑制しないのであれば時間差比αの上限を２以外の数値で区画してもよい。さらに、判別対象とするディスクについても、時間差比αに差が出るのであればデュアルレイヤーのＤＶＤやハイブリッドＳＡＣＤに限定されるものではない。
【図面の簡単な説明】
【００３６】
【図１】発明を実施するための最良の形態に係るディスク再生装置を示す説明図である。
【図２】図１のディスク再生装置におけるディスク判別処理を示す流れ図である。
【図３】図２に続くディスク判別処理を示す流れ図である。
【図４】図３のＳ字波形評価処理の詳細を示す流れ図である。
【図５】光ディスクの断面を示す説明図である。
【図６】図１のディスク再生装置において制御回路が検出する全加算信号及びフォーカスエラー信号の例を示す説明図である。
【図７】図１のディスク再生装置において制御回路が検出するフォーカスエラー信号の例を示し、（ａ）は第二のボトムが小さく第二のＳ字波形がノイズと認められる場合の、（ｂ）は第二のピークが小さく第二のＳ字波形がノイズと認められる場合の、（ｃ）は第一のボトムが小さく第一のＳ字波形がノイズと認められる場合の、（ｄ）は第一のピークが小さく第一のＳ字波形がノイズと認められる場合の説明図である。
【図８】従来のディスク再生装置を示す説明図である。
【符号の説明】
【００３７】
１３  ディスク再生装置（ディスク判別装置）
１６  光学ピックアップユニット（光学ピックアップ手段）
１７  制御回路（反射光検出手段、ディスク判別手段）
２８  タイマー（第一の時間差計測手段）
２９  タイマー（第一の時間差計測手段、第二の時間差計測手段）
Ｄ    ディスク
Ｐ    保護層
Ｒ    情報記録層
【図１】
2006277846.tif 000003
【図２】
2006277846.tif 000004
【図３】
2006277846.tif 000005
【図４】
2006277846.tif 000006
【図５】
2006277846.tif 000007
【図６】
2006277846.tif 000008
【図７】
2006277846.tif 000009
【図８】
2006277846.tif 000010